(57)【要約】【課題】  ラドンガスを効率的に体内に取り込むことが可能で且つ簡便な吸入器を提供すること。【解決手段】  上方が開口している有底の容器と、容器の上端の開口部に密閉状態で取り付けられた蓋と、蓋に設けた穴を通して前記容器内に臨ませた吸気管とを具備し、前記容器内に、所望の大きさに破砕されたウラン鉱石、あるいはウランを採掘した後の残土をペレット状あるいはボール状に成形した成形体、あるいはこれを焼結した焼結体を充填して吸入器を構成したもの。【選択図】図１
2007313274.tif 000002
【特許請求の範囲】
【請求項１】
上方が開口している有底の容器と、容器の上端の開口部に密閉状態で取り付けた蓋と、蓋に設けた穴を通して前記容器内に開放し臨ませた吸気管とを具備し、前記容器内に、所望の大きさに破砕されたウラン鉱石、あるいはウランを採掘した後の残土をペレットあるいはボール等所望の形状に加圧成形した成形体、あるいはこの成形体を焼結した焼結体を充填した吸入器。
【請求項２】
上方が開口している有底の容器と、容器の上端の開口部に密閉状態で取り付けた蓋と、蓋に設けた穴を通して前記容器内に開放し臨ませた吸気管及び給気管、この給気管に設けられ且つ逆止弁を具備した握りポンプとを具備し、前記容器内に、所望の大きさに破砕されたウラン鉱石、あるいはウランを採掘した後の残土をペレットあるいはボール等所望の形状に加圧成形した成形体、あるいはこの成形体を焼結した焼結体を充填した吸入器。
【請求項３】
上方が開口している有底の容器と、容器の上端の開口部に密閉状態で取り付けた蓋と、蓋に設けた穴を通して前記容器内に開放し臨ませた吸気管とを具備し、前記容器内に、所望の大きさに破砕されたウラン鉱石、あるいはウランを採掘した後の残土をペレットあるいはボール等所望の形状に加圧成形した成形体、あるいはこの成形体を焼結した焼結体を充填し、更に、薬液を含んだ水溶液を充填した吸入器。
【請求項４】
上方が開口している有底の容器と、容器の上端の開口部に密閉状態で取り付けた蓋と、蓋に設けた穴を通して前記容器内に開放し臨ませた吸気管及び給気管、この給気管に設けられ且つ逆止弁を具備した握りポンプとを具備し、前記容器内に、所望の大きさに破砕されたウラン鉱石、あるいはウランを採掘した後の残土をペレットあるいはボール等所望の形状に加圧成形した成形体、あるいはこの成形体を焼結した焼結体を充填し、更に、薬液を含んだ水溶液を充填した吸入器。
【発明の詳細な説明】
【技術分野】    本発明は、喘息の治療等に用いられるネブライザーと称されている医療用の吸入器、あるいはこれに類する吸入器に関し、特に、放射性ラドンを気体として体内に取り入れ、ホルミシス効果が期待できる吸入器に関するものである。
【背景技術】  従来から医療用ネブライザーや薬剤液噴霧形式の吸入器は種々提供されている。
例えば、特許文献１のように、給水タンク内の水を沸騰させ、ノズルより蒸気をジェット噴射させて吸入液ボトルの薬剤を吸い上げ、混合霧化液として噴霧ガイド筒より外部に噴射する吸入器や、特許文献２のように、液滴の数を監視する必要なしに調整された用量の医用液体を液滴の形式で供給できる医用ネブライザが知られている。
これ以外にも、超音波振動装置を使用して薬液を霧化し、医用として用いられる吸入器は周知である。
しかしながら、低放射性のラドンを気体として体内に取り込み、ホルミシス効果を利用して治療、療養あるいは健康を維持するものは提案されていない。
ホルミシス効果とは、低線量放射線の生体に及ぼす有益な効果を言う。
一方、ラドンを含む天然の温泉が、癌やリウマチの治療や回復に効能を示すことを我々は経験的に知っている。
鳥取県の三朝温泉は、我が国有数のラドン温泉として古来から知られている。同温泉には岡山大学医学部付属病院が設立され、温泉療法として癌、リュウマチ等の難病といわれる病気の治療に当たっている。
又、秋田県の玉川温泉もラドン温泉として有名であり、多くの患者が温泉療法をしていることも知られている。
これらの効能は、放射性ラドンによるホルミシス効果によるもので、岡山大学医学部の研究によってそのメカニズムの解明はされつつある。
さらに、世界的に見ると、ラドン温泉として有名なオーストリアのバードガシュタイン温泉では、国立研究医療機関が設立され、温泉を利用して医学的治療を行っており、世界中の患者が集まっていることも周知である。
最近、天然に存在するウランの娘核種として生まれたラジウム鉱石をサウナ室内に配置し、放射性ラジウムの壊変により発生するラドンを用いて人工的なラドン温泉と称する設備も存在するが、この効能もラドン温泉と同様である。
ラドンは、通常は気体として存在し、化学的活性は低いが水によく溶ける。
ラドン温泉の効能は、呼吸によって体内に取り込まれたラドンが肺から血液中に溶け込み、血液が全身に回る過程で細胞に対しホルミシス効果を発揮することで得られる。
【特許文献１】実開平３−３３６５６公報
【特許文献２】特開２００１−５４５７４公報
【発明の開示】
【発明が解決しようとする課題】  通常、気体として存在するラドンを吸気として効率良く肺に取り入れるには、先ずラドンの存在する空間が密閉されていなくてはならない。そうしないとラドンは容易に拡散、霧消してしまう。
一方、水に溶けたラドンは体内に摂取されても、その殆どが対外に排出されてしまい前期のホルミシス効果は期待できない。
ラドンはウラン、トリウムの放射性壊変の結果、娘核種として生まれる。これらの元素は地球創成期に生まれた核種であり、海水を除いて通常花崗岩に含まれていることが多い。
石造建築物の多い欧米において、特に密閉性の高い地下室のラドン濃度が高いのはこのためである。このラドンを効率よく体内に取り込むためには狭い空間にラドンを閉じ込め、そのガスを吸うことである。
本発明は上記課題に着目し、ラドンガスを効率的に体内に取り込むことを可能にした簡便な吸入器を提供することを目的としてなされたものである。
【課題を解決するための手段】本発明は、上方が開口している有底の容器と、容器の上端の開口部に密閉状態で取り付けた蓋と、蓋に設けた穴を通して前記容器内に開放し臨ませた吸気管とを具備し、前記容器内に、所望の大きさに破砕されたウラン鉱石、あるいはウランを採掘した後の残土をペレットあるいはボール等所望の形状に加圧成形した成形体、あるいはこの成形体を焼結した焼結体を充填して吸入器を構成したものである。
又、本発明は、更に、前記容器内に薬液を含んだ水溶液を充填し、ラドンガスと薬液のミストを同時に吸入できるようにしたものである。
【発明の効果】本発明は、上方が開口している有底の容器と、容器の上端の開口部に密閉状態で取り付けた蓋と、蓋に設けた穴を通して前記容器内に開放し臨ませた吸気管とを具備し、前記容器内に、所望の大きさに破砕されたウラン鉱石、あるいはウランを採掘した後の残土をペレットあるいはボール等所望の形状に加圧成形した成形体、あるいはこの成形体を焼結した焼結体を充填して吸入器を構成し、あるいは、更に、前記容器内に薬液を含んだ水溶液を充填したので、ラドンガスを効率的に体内に取り込むことが可能で且つ簡便な吸入器を提供することができた。
又、薬液を含んだ水溶液を前記に加えて容器内に充填すれば、ラドンガスと通常服用している薬液のミストを同時に摂取することができるものである。
【発明を実施するための最良の形態】  本発明は、密閉された狭い空間に存在するラドンを効率良く体内に摂取する簡便な吸入器である。
具体的には、吸入器の容器に砕いたウラン鉱石あるいはウラン鉱石を採掘した後の残土をペレット状あるいはボール状に焼結した焼結体を入れ、この容器内に充満したラドンガスを吸気ホースから吸気するようにしたものである。
又、容器内に水または薬剤、薬液を含む水溶液を入れ、これに前記ペレット又はボールを浸漬させ、この状態で外部から送られた空気によって水溶液をバブリングさせ、このバブリングさせた空気と共にウランの崩壊によって生じたラドンを直接吸気し、人体に取り込むことによって癌やリウマチの治療やその進行を抑えることを指向しているものである。
ラドンは気相と水相に分配されるが、水相中のラドンはバブリングによって容易に気相に移行する。これは瞬時に行われるため通気と同時にマスクを被ることが重要である。
ラドンはウランの崩壊によって生じた分だけ吸気として体内に摂取される。
【実施例１】  次に、図１に基づいて第１の実施例について説明する。
１は上方が開口しているガラス、プラスチックあるいは金属製の有底の容器である。金属としては成形の容易性と軽量性からアルミニウムやこの合金が適している。プラスチックは経年変化があり、本発明では放射背物質のウランやラドンを取り扱うことと衛生的にもガラスや金属が好適である。又、サイズは使用者が片手で持てる程度の大きさが好適である。
容器１の上端の開口部にはゴム、プラスチックあるいはコルク等からなる蓋２が密閉状態で取り付けられている。この蓋２には上下に貫通した二個の穴が形成されており、一方の穴には給気管３が、他方の穴には吸気管４が気密的に挿入されている。これらの管はそれぞれプラスチックあるいは金属管で構成され、上方は横方向に屈曲されている。
給気管３の先端部にはプラスチックあるいはゴム等からなるラグビーボール状の握りポンプ５が設けられており、その両端には空気を容器１内に確実に送るためと逆流を防止するための逆止弁６Ａ、６Ｂを備えている。
吸気管４の先端には顔面にフィットするように軟質のマスク７が設けられている。
８は砕かれたウラン鉱石、あるいはウラン鉱石を採掘した残土をボール状あるいはペレット状に加圧成型した成形体、あるいはこれを焼結した焼結体であり、前記容器内に充填される。ボール状の焼結体の大きさはパチンコ玉程度である。
成形体は、成形型に可及的細かく砕かれた残土を加圧充填し、これを更に真空プレスによって加圧成形し、所望の硬さの成形体を得るようにしたものである。
このように成形された成形体の硬さが充分でなく、又、水溶液内に浸漬して使用する場合などは更に高い硬度が要求される。
この場合は、成型による成形体、あるいは真空プレスによる成形体を焼結炉で焼結し、焼結体を得るようにすればよい。
これらの成形体あるいは焼結体８は前述のようにラドンを発生し、容器１内はラドンガスで充満している。容器１内のラドンの量は２００ベクレル／ｍ３以上が適当であるが、使用者の病状と医師の判断で容器内１に充填する成形体や焼結体の量を変え、ラドンガスの量を調節するようにすることが肝要である。
前記構成の吸入器において、使用者がマスク７を口に当て息を吸い込めば、容器１内のラドンガスを体内に取り込むことができる。このとき握りポンプ５を併用すれば外部の空気を強制的に容器内に送ることができ、呼吸不全の使用者の吸気アシストになる。
取り込まれたラドンガスは肺から血中に取り込まれ、ホルミシス作用効果により病状の改善や健康の増進を図ることができる。
又、握りポンプ５の逆止弁６Ａ、６Ｂは、容器１内に折角発生したラドンガスが無駄に外部に放出されるのを防止し、ラドンガスを数日容器１内に閉じ込めておくことができる。
ここで使用するラドンガスは、半減期３．８２日のラドンガス使用するのが望ましいものである。
【実施例２】  次に、図２基づいて第２の実施例について説明する。
第２の実施例は、第１の実施例の容器に薬剤や薬液を溶かした水溶液９を入れたものである。
薬液は、使用者が通常使用している喘息の薬や花粉症、その他の効能のある任意の薬液である。
この実施例の使用方法も前記実施例と同様であるが、ラドンガスと水溶液に溶け込んだ薬液のミストと共に体内の肺房に取り込むことができる。
このときも握りポンプ５を併用すれば、給気管３から強制的に送られた空気が水溶液９をバブリングし、ラドンガスの発生を活発にするので、ラドンガスの摂取が充分に行われる。
この実施例によれば通常使用している薬液とラドンガスを同時に摂取することができることは明らかである。
ラドンは化学的に不活性であり薬液とラドンは反応しないので、複数の病状に対してそれぞれの効能を維持できる。
尚、握りポンプ５は省略して単なる通気管としても良く、更に、この給気管は蓋に開けた小孔でも代用できる。
要は、吸入器を使用する場合、使用者の吸気を容易にするために外気が取り込まれれば良いということである。
【産業上の利用可能性】  本発明は、個人用として使用するものを実施例としたが病院や療養所で業務用としても利用できる。
このとき容器は大容量とし吸入器は吸入装置と読み換えるものとする
【図面の簡単な説明】
【図１】  本発明の第１の実施例を示す吸入器の断面図。
【図２】  本発明の第２の実施例を示す吸入器の断面図。
【符号の説明】
１  容器、２  蓋、３  給気管、４  吸気管４、５  握りポンプ、６Ａ、６Ｂ  逆止弁、７  マスク、８  焼結体、９  水溶液。
【図１】
2007313274.tif 000003
【図２】
2007313274.tif 000004